(57)【要約】【課題】遊技機において、施錠の状態を表示できる防犯システム、ワイヤロック装置、表示器を提供すること。【解決手段】受信部２３は、リモコン２７から受信した信号を制御部２１に送信する。制御部２１は、スイッチ駆動部３９を駆動させ、スイッチ４１をオンにする。電源供給部３７から電磁石３１に電源が供給され、電磁石３１が作動すると芯３２が枠体５９と共にＢ方向に移動する。枠体５９がＢ方向に移動すると、ワイヤロック装置９による施錠が解除される。また、枠体５９は、スイッチ３４を押圧して、スイッチ３４をオンにし、検知部２９は、スイッチ３４がオンとなることを検知して制御部２１に伝える。制御部２１は、表示部２５を点灯させたり、例えば文字で「ロック解除中」等と表示させたりする。【選択図】  図２
2004275256.tif 000002
【特許請求の範囲】
【請求項１】
遊技機の防犯システムであって、
リモコンから送られる信号を受信する受信手段と、
前記受信手段が信号を受信すると、電源を供給する電源供給手段と、
前記遊技機の施錠を行い、前記電源供給手段から電源が供給されると施錠を解除する施錠手段と、
前記施錠手段の施錠が解除されたことを検知する検知手段と、
前記検知手段が、施錠が解除されたことを検知すると表示を行う表示手段と、を具備することを特徴とする防犯システム。
【請求項２】
前記施錠手段は、ワイヤロック装置であることを特徴とする請求項１記載の防犯システム。
【請求項３】
前記表示手段は、前記遊技機の表示器であることを特徴とする請求項１記載の防犯システム。
【請求項４】
前記遊技機はパチンコ遊技機であることを特徴とする請求項１記載の防犯システム。
【請求項５】
前記遊技機はスロットマシン機であることを特徴とする請求項１記載の防犯システム。
【請求項６】
ワイヤが巻きつけられ、通常時は前記ワイヤを巻き取る方向に力が加えられる巻取り体と、
前記巻取り体に設けられた歯車と、
電磁石と、
通常時は前記歯車と係合し、前記電磁石に電源が供給されると移動し、前記歯車との係合が解かれるストッパと、
前記ストッパが移動したことを検知して、表示器に信号を送る手段と、
を具備することを特徴とするワイヤロック装置。
【請求項７】
請求項６記載のワイヤロック装置から送られる信号に基づき、表示を行うことを特徴とする表示器。
【発明の詳細な説明】
【０００１】
【発明の属する技術分野】
本発明は遊技機の防犯システム、ワイヤロック装置、表示器に関するものである。
【０００２】
【従来の技術】
パチンコ遊技機やスロットマシン機等の遊技者の中には、パチンコ遊技機等に何らかの細工を施し、設定された出球数以上の出球を不正に得ようとする者がいる。かかる不正を行う者は、従業員の目を盗み、あるいは遊技場の閉店後や休日等に不法に侵入して、遊技機の扉に設けられた鍵を何らかの手段で開錠し、不正を行うための装置を遊技機内部に取り付けたり、遊技機内部に細工を施したりすることがある。このため、従来は、通常の鍵の他に、遊技機内部にワイヤロック装置を取り付け、ワイヤの先端を扉に固定し、リモコンによって施錠を解除することにより遊技機内部への不正を防止していた。（例えば特許文献１参照）
【０００３】
【特許文献１】
特開２００２−０１８０７９号公報
【０００４】
【発明が解決しようとする課題】
しかしながら、従来のワイヤロック装置では、遊技機の調整や補修等のために施錠を解除した場合、ワイヤロック装置による施錠が解除中である、という表示ができないため、どの遊技機の施錠が解除されているかをすぐに判断できない、という問題点があった。
本発明は、このような問題点に鑑みてなされたものであり、その目的とするところは、施錠の状態を表示できる防犯システム、ワイヤロック装置、表示器を提供することである。
【０００５】
【課題を解決するための手段】
前述した目的を達成するため、第１の発明は、遊技機の防犯システムであって、リモコンから送られる信号を受信する受信手段と、前記受信手段が信号を受信すると、電源を供給する電源供給手段と、前記遊技機の施錠を行い、前記電源供給手段から電源が供給されると施錠を解除する施錠手段と、前記施錠手段の施錠が解除されたことを検知する検知手段と、前記検知手段が、施錠が解除されたことを検知すると表示を行う表示手段と、を具備することを特徴とする防犯システムである。
第１の発明では、リモコンから送られる信号を受信すると、電源を供給し、電源が供給されることにより遊技機の施錠を解除し、施錠が解除されたことを検知して、表示する。
【０００６】
第２の発明は、ワイヤが巻きつけられ、通常時は前記ワイヤを巻き取る方向に力が加えられる巻取り体と、前記巻取り体に設けられた歯車と、電磁石と、通常時は前記歯車と係合し、前記電磁石に電源が供給されると移動し、前記歯車との係合が解かれるストッパと、前記ストッパが移動したことを検知して、表示器に信号を送る手段と、を具備することを特徴とするワイヤロック装置である。
第２の発明では、通常時は、歯車がストッパにより固定されているため、巻取り体に巻きつけられたワイヤが巻き出されず施錠される。施錠を解除するために電磁石に電源が供給されると、歯車からストッパがはずれ、巻取り体が可動となるため、ワイヤが巻き出される。このとき、ストッパが移動したことを検知して、表示器に信号を送る。
【０００７】
ここで、巻取り体とは、外側にワイヤが巻き付けられ、内側にばねが設けられた円筒状の部材であり、ばねの作用によって、常にワイヤを巻き取る方向に力が加えられる。
また、ストッパとは、歯車の回転を停止させるため、歯と歯の間に係合される棒状の部材であり、電磁石に電源が供給されて作動すると、連動して移動する。
【０００８】
第３の発明は、請求項６記載のワイヤロック装置から送られる信号に基づき、表示を行うことを特徴とする表示器である。
第３の発明では、ワイヤロック装置による施錠が解除されたことを検知して、表示する。
【０００９】
【発明の実施の形態】
以下、図面に基づいて本発明の実施の形態を詳細に説明する。以下の実施の形態では、パチンコ遊技機を例にして説明する。ここでパチンコ遊技機とは、パチンコ遊技を行うための装置である。
【００１０】
図１は、パチンコ遊技機１の構成概略図である。パチンコ遊技機１は、基台５に扉３が開閉可能に設けられ、基台５の上部には、表示器７が設けられる。扉３の表側には、パチンコ遊技を行う盤面が設けられており、遊技者は、盤面上でパチンコ球を操作することにより、パチンコ遊技を行う。尚、図１では、基台５の内部の基盤等は図示していない。
【００１１】
基台５の内部には、内側側面にワイヤロック装置９が取り付けられる。ワイヤロック装置９には、ワイヤ１１が設けられ、ワイヤ１１の先端には、取付金具１３が設けられる。取付金具１３は、扉３の裏側にネジ等により固定される。
【００１２】
ワイヤ１１は、ワイヤロック装置９内部の歯車６５に設けられた巻取り体８３の巻取り部７７（図６参照）に巻きつけられており、図１に示すように扉３を開けた状態では、ワイヤ１１は扉側に引っ張られて巻取り部７７から巻き出され、扉３を閉止した状態では、ワイヤ１１は巻取り部７７に巻き取られて、扉３が施錠される。
【００１３】
図２は、パチンコ遊技機１の信号系の一部を示す図である。表示器７は、制御部２１、受信部２３、表示部２５、検知部２９等を有する。制御部２１は、表示器７の各部の制御やワイヤロック装置９の制御等を行う。
【００１４】
受信部２３は、リモコン２７からの信号を受信する。リモコン２７は、施錠の解除を指示する信号の送信等を行う。リモコン２７を使用する場合、暗証番号を入力するようにしてもよい。表示部２５は、大当たり等の表示や施錠が解除された場合等の表示を行う。表示部２５は、制御部２１の指示によって各種の表示を行う。表示部２５は、複数個設けられてもよい。
【００１５】
受信部２３、表示部２５、検知部２９は、制御部２１に接続される。
検知部２９は、ワイヤロック装置９のスイッチ３４と、ケーブル４３ａ、ケーブル４３ｂを介して接続され、スイッチ３４のオン・オフを検知し、制御部２１に伝える。
【００１６】
ワイヤロック装置９の内部には、スイッチ３４、電磁石３１、枠体５９、ばね５７等が設けられる。
枠体５９は、ワイヤロック装置９に対してＡ、Ｂ方向に移動可能に設けられ、電磁石３１は、ワイヤロック装置９に対して固定される。
【００１７】
枠体５９には、円筒形状の芯３２が固定して設けられ、芯３２の一部は電磁石３１の内部を貫通する。電磁石３１と枠体５９との間にばね５７が設けられ、ばね５７は、芯３２の周囲に巻きつけられて設けられる。枠体５９は、ばね５７によりＡ方向に付勢される。
【００１８】
電源３５の内部には、電源供給部３７、スイッチ駆動部３９、スイッチ４１等が設けられる。電源供給部３７は、電源の供給を行い、ケーブル４５ａ、４５ｂを介して電磁石３１と接続される。スイッチ駆動部３９は、表示器７の制御部２１の指示により、スイッチ４１を開閉する。
【００１９】
スイッチ４１は、電磁石３１と、ケーブル４５ｂを介して接続され、スイッチ駆動部３９によって開閉される。スイッチ４１が閉じた状態、すなわちオンの状態では、電源供給部３７から電磁石３１に電源供給が行われ、電磁石３１が作動する。
【００２０】
次に、ワイヤロック装置９の詳細な説明を行う。図３は、ワイヤロック装置９の構成概略図であり、図４は、ワイヤロック装置９の内部の構成を示す図である。
図３に示すようにワイヤロック装置９は、直方体の形状で、プラスチック等で形成され、蓋５１、中ケース５３、下ケース５５で構成される。
【００２１】
ワイヤロック装置９の側面には、中ケース５３と下ケース５５との境目部分に、穴５６が設けられる。ワイヤ１１は、穴５６を通じて、ワイヤロック装置９の内部から外側に伸ばされる。ワイヤ１１の先端は、取付金具１３に設けられた穴１２を貫通し、折り曲げられてワイヤ１１と固定され、ワイヤ１１と取付金具１３とが接続される。
【００２２】
図４に示すようにワイヤロック装置９には、上部に蓋５１が設けられ、蓋５１の下側には中ケース５３と下ケース５５が設けられる。中ケース５３は、中底６０と、中底６０の周囲に垂直に設けられた４枚の側板６２ａ、側板６２ｂ、側板６２ｃ、側板６２ｄからなる直方体状のケースである。側板６２ｂの下方には、穴５６ａが設けられ、側板６２ｄの上方には、穴６４が設けられる。
【００２３】
中ケース５３の中央部には、側板６２ａおよび側板６２ｃと平行して中板６８が中底６０に垂直に固定して設けられる。側板６２ｃと中板６８との間には、直方体状の電磁石３１が中底６０の上面に固定されて設けられる。
【００２４】
電磁石３１の周囲には、電磁石３１を囲むようにして、４つのプラスチック製等の板状の部材からなる枠体５９が、Ａ、Ｂ方向に移動可能に設けられる。すなわち、枠体５９の上部と下部は、開口している。
【００２５】
枠体５９の内側には、芯３２の端部が固定される。
芯３２は、円柱状で鉄製等であり、芯３２の一部は、電磁石３１の内部を貫通する。また、芯３２には、周囲にばね５７が巻きつけられる。枠体５９は、ばね５７によりＡ方向に付勢される。
【００２６】
電磁石３１には、ケーブル４５が接続される。ケーブル４５は、側板６２ｄに設けられた穴６４を通じて中ケース５３の外側まで延長され、電源供給部３７と接続される（図２参照）。尚、ケーブル４５はケーブル４５ａとケーブル４５ｂとで構成される。
【００２７】
枠体５９の隅部には、ストッパ６１が枠体５９の下側に突出するように設けられる。ストッパ６１は、円柱形状で金属製等の部材である。
中底６０には、溝状に長穴６３が設けられる。ストッパ６１は、長穴６３を通って、中底６０の下側、すなわち、下ケース５５内に突出する。
【００２８】
側板６２ｄの内側には、台３３が固定して設けられる。台３３には、スイッチ３４と、接点３２が設けられる。スイッチ３４にはケーブル４３が接続される。
【００２９】
ケーブル４３は、側板６２ｄに設けられた穴６４を通じて中ケース５３の外側まで延長され、表示器７に設けられた検知部２９と接続される（図２参照）。尚、ケーブル４３はケーブル４３ａとケーブル４３ｂとで構成される。
【００３０】
台３３に設けられたスイッチ３４は、枠体５９がＢ方向に移動し、枠体５９に押圧されるとオンとなる。
【００３１】
中ケース５３の下側には、下ケース５５が設けられる。下ケース５５は、底板７０と、底板７０の周囲に垂直に設けられた４枚の側板７３ａ、側板７３ｂ、側板７３ｃ、側板７３ｄからなる直方体状のケースである。側板７３ｂの上部には、穴５６ｂが設けられる。穴５６ａ、穴５６ｂにより、図３における穴５６が形成される。
【００３２】
図５は、下ケース５５の内部の構成を示す図である。下ケース５５には、歯車６５と、巻取り体８３等が収納される。下ケース５５には、円柱状の軸６９が、底板７０に垂直に固定されて設けられる。軸６９には、ばね６７を固定するための溝８７が設けられる。軸６９には、溝８７にばね６７の端部が挿入されて固定される。
【００３３】
軸６９を円形に囲うように、薄い板状の収納部７１が垂直に固定されて設けられる。収納部７１の一部には、第１溝部７２と第２溝部７４が設けられる。第１溝部７２には、長穴６３から突出したストッパ６１の下部が挿入される。
【００３４】
第２溝部７４は、収納部７１内部から、巻取り部７７に巻き付けられたワイヤ１１を、下ケース５５から穴５６ｂを通じて外側へ導くために設けられる。
【００３５】
収納部７１は、内部に巻取り体８３を収納する。巻取り体８３は、ワイヤ１１を巻き付ける部材であり、円筒形状の巻取り部７７と、薄い円盤状のガイド７５ａ、ガイド７５ｂからなる。巻取り部７７の上部には、歯車取付部８５が設けられる。
【００３６】
ガイド７５ａは、巻取り部７７の上側に固定され、ガイド７５ｂは、巻取り部７７の下部に固定される。ワイヤ１１は、巻取り部７７の外側、すなわちガイド７５ａとガイド７５ｂとの間に巻きつけられる（図７参照）。
【００３７】
巻取り体８３の上部の歯車取付部８５には、歯車６５が取り付けられる。歯車６５は、薄い板状の金属製である。歯車６５は、中心部に円形の穴６８を有し、さらに、周囲に複数の歯６６を有する。歯車６５は、穴６８に歯車取付部８５が挿入されて、固定される。また、ガイド７５ａの上面は、歯車６５の裏側に固定される。
【００３８】
歯車６５が固定された巻取り体８３は、収納部７１に回転可能に収納される。この時、歯車６５の歯６６の部分は、収納部７１の上部から外側にはみ出るように収納される。
【００３９】
図６は、図４における歯車６５付近の拡大図である。巻取り体８３の内側、すなわち巻取り部７７の内側には、ばね６７が設けられる。ばね６７は、板状で金属製である。ばね６７の一端は、軸６９の溝８７に挿入され、固定される。ばね６７は、軸６９を中心に時計回りに巻きつけられ、ばね６７の他端は、巻取り部７７の一部に設けられたばね固定部８１に固定される。
【００４０】
図７は、図４における歯車６５付近の側面図である。歯車６５は、前述したとおり、巻取り体８３の上部、すなわち歯車取付部８５に固定される。巻取り体８３は、底板７０上に回転可能に設けられる。
【００４１】
巻取り体８３の巻取り部７７には、ワイヤ固定部７９が設けられる。ワイヤ固定部７９には、ワイヤ１１の先端が固定される。ワイヤ１１は、巻取り部７７に時計回りに巻きつけられる。ワイヤ１１の端部は、穴５６ｂから下ケース５５の外側に導かれ、扉３に固定される。
【００４２】
図４において、ばね６７は、常にばねを緩める方向、すなわち反時計回りに歯車６５を回転させようとする。一方、ワイヤ１１は、歯車６５に固定された巻取り部７７に時計回りに巻きつけられる。歯車６５には、常に反時計回りに回転させる方向に力が作用しているため、ワイヤ１１には、常に巻取り部７７に巻取られる方向に力が作用している。
【００４３】
次に、本実施の形態の動作について説明する。
図２において、オペレータは、リモコン２７を介して「ワイヤロック装置９による施錠を解除する」という信号を受信部２３に送信する。受信部２３は、受信した信号を制御部２１に送信し、制御部２１は、スイッチ駆動部３９を駆動させ、スイッチ４１をオンにする。
【００４４】
スイッチ４１がオンとなると、電源供給部３７から電磁石３１に電源が供給され、電磁石３１が作動する。電磁石３１が作動すると、芯３２が枠体５９と共にＢ方向に移動する。
【００４５】
枠体５９がＢ方向に移動すると、後述するように、ワイヤロック装置９による施錠が解除される。
【００４６】
また、枠体５９がＢ方向に移動すると、枠体５９は、スイッチ３４を押圧して、スイッチ３４をオンにする。検知部２９は、スイッチ３４が、オンとなることを検知して、制御部２１に伝える。
【００４７】
すなわち、検知部２９から制御部２１へ「ワイヤロック装置９による施錠が解除された」という信号が送られる。
【００４８】
制御部２１は、「ワイヤロック装置９による施錠が解除された」という信号を受け取ると、表示部２５を点灯させたり、例えば文字で「ロック解除中」等と表示させたりする。また、制御部２１は、センタコンピュータ（図示せず）に、「ワイヤロック装置９による施錠が解除された」という信号を送信させることもできる。
【００４９】
次に、図８、図９、図１０、図１１を参照しながら、本実施の形態の、ワイヤロック装置９の動作について詳細に説明する。図８は、ワイヤロック装置９により施錠されているときの、中ケース５３の平面図であり、図９は、ワイヤロック装置９により施錠されているときの、下ケース５５の平面図である。
【００５０】
図８において、ワイヤロック装置９による施錠が行われている場合、電磁石３１は、ケーブル４５を介して電源が供給されず作動していない。このため、ばね５７の作用により枠体５９はＡ方向に付勢される。
【００５１】
枠体５９がＡ方向に付勢されることにより、枠体５９と連動するストッパ６１は、長穴６３の右側の端部に位置する。
また、このとき、スイッチ３４は、枠体５９によって押されていないためオフとなる。
【００５２】
図９において、ストッパ６１は、第１溝部７２の右側の端部に位置する。このとき、ストッパ６１は、歯車６５の歯６６と係合し、歯車６５の時計回り方向への回転を停止させる。すなわち、ワイヤ１１は、巻き出されないため扉３は施錠される。
【００５３】
図１０は、ワイヤロック装置９による施錠が解除されたときの、中ケース５３の平面図であり、図１１は、ワイヤロック装置９による施錠が解除されたときの、下ケース５５の平面図である。
【００５４】
図２において、リモコン２７によってワイヤロック装置９による施錠が解除されると、表示器７の制御部２１の指示により、電源供給部３７から電磁石３１へ、ケーブル４５を介して電源が供給される。
【００５５】
図１０において、電磁石３１は、電源供給部３７から電源が供給されると作動し、芯３２が電磁石３１側に引き寄せられる。すなわち、芯３２は、Ｂ方向に移動する。枠体５９は、芯３２の一端に固定されているため、芯３２と連動してＢ方向へ移動する。
【００５６】
枠体５９は、Ｂ方向へ移動することによりスイッチ３４に接触し、スイッチ３４はオンとなる。スイッチ３４がオンとなると、ケーブル４３を通じて検知部２９が検知し、制御部２１に送られる。制御部２１は、前述したように、表示部２５に施錠が解除されたことを表示させる（図２参照）。
【００５７】
また、図１１において、ストッパ６１は、枠体５９がＢ方向に移動したのに伴って、第１溝部７２にそってＢ方向に移動する。
【００５８】
ストッパ６１がＢ方向に移動すると、ストッパ６１と歯車６５の歯６６との係合は解かれ、歯車６５は、回転可能となる。これにより、パチンコ遊技機１の施錠が解除され、巻取り部７７に巻き取られていたワイヤ１１は、扉３の開閉にあわせて巻き出されたり、巻き取られたりすることが可能となる。
【００５９】
次に、本実施の形態のオペレータによる処理について説明する。
前述したように、オペレータは、リモコン２７を介して「ワイヤロック装置９による施錠を解除する」という信号を受信部２３に送信する。これにより、ワイヤロック装置９の電磁石３１への電源の供給が行われ、電磁石３１が作動して施錠が解除される。
【００６０】
オペレータは、施錠が解除されるとパチンコ遊技機１の扉３を開ける。このとき、扉３に端部が固定されたワイヤ１１は、扉３が開くのに伴ってワイヤロック装置９の巻取り部７７から巻き出される。オペレータは、扉３を開け、パチンコ遊技機１の内部の調整や補修等を行う。
【００６１】
オペレータは、パチンコ遊技機１の調整や補修等を終えると、扉３を閉める。このとき、ワイヤ１１は、巻取り部７７に巻き取られる。
【００６２】
オペレータは、扉３を閉めた後、リモコン２７を介して「ワイヤロック装置９による施錠を行う」という信号を受信部２３に送信する。これにより、ワイヤロック装置９の電磁石３１への電源の供給が停止する。電磁石３１は、電源の供給が停止されると作動を停止する。
【００６３】
電磁石３１の作動が停止すると、図９に示すようにストッパ６１は、歯車６５の歯６６と係合し、歯車６５の時計回り方向への回転を停止させる。歯車６５の時計回り方向への回転が停止されると、ワイヤ１１が巻取り部７７から巻き出されなくなり、パチンコ遊技機１の扉３が施錠された状態となる。
【００６４】
尚、ワイヤ１１には、前述したように、常に巻取り部７７に巻き取られる方向に力が働いている。このため、扉３は、施錠が行われていなくても、オペレータが開けないかぎり、常に閉まっている状態である。
【００６５】
尚、本発明は、パチンコ遊技機だけでなく、例えばスロットマシン等への適用が可能である。
【００６６】
次に、他の実施の形態について説明する。図１２は、他の実施の形態に係るパチンコ遊技機１ａの構成概略図であり、図１３は、他の実施の形態に係るスロットマシン機９１の構成概略図であり、図１４は、他の実施の形態に係るパチンコ遊技機１ｂの構成概略図である。
【００６７】
前述した実施の形態では、ワイヤロック装置９は、図１に示したように基台５の内側に設置していたが、基台５の外側、または表示器７の内部に設置するようにしてもよい。
【００６８】
図１２において、ワイヤロック装置９には、ワイヤ１１を被覆するアウタワイヤ９３が設けられる。アウタワイヤ９３の端部は、ワイヤロック装置９の穴５６（図３参照）にネジ等によって固定される。また、基台５には、側面に穴９５が設けられる。穴９５は、ワイヤロック装置９を基台５の外側に取り付けた場合に、ワイヤ１１を内側に導くために設けられる。
【００６９】
穴９５から内側に導かれたアウタワイヤ９３は、アウタワイヤ固定具９７により、基台５の内側側面に固定される。
【００７０】
パチンコ遊技機１ａの場合、ワイヤロック装置９は、基台５の裏側に設置するのが好ましい。ワイヤロック装置９に設けられたアウタワイヤ９３は、穴９５を通じて基台５の内側に導かれたワイヤ１１を被覆するので、ワイヤ１１が穴９５を通ることによって折り曲げられても、巻き出しや巻き戻しが可能となる。
【００７１】
図１３において、スロットマシン機９１の基台５の外側にワイヤロック装置９を設置する場合、ワイヤロック装置９は、基台５の側面に設置するのが好ましい。
【００７２】
また、図１４において、パチンコ遊技機１ｂのように、表示器７の内部にワイヤロック装置９を設置することもできる。この場合、ワイヤロック装置９に固定されたアウタワイヤ９３は、基台５の外側を通り、基台５の側面に設けられた穴９５を通じて、基台５の内部に導かれる。
【００７３】
このように、本発明の防犯システムを用いれば、施錠が解除されたことを表示器７の表示部２５に表示することができる。
【００７４】
【発明の効果】
以上、詳細に説明したように本発明によれば、施錠の状態を表示できる防犯システム、ワイヤロック装置、表示器を提供することができる。
【図面の簡単な説明】
【図１】パチンコ遊技機１の構成概略図
【図２】パチンコ遊技機１の信号系の一部を説明する図
【図３】ワイヤロック装置９の構成概略図
【図４】ワイヤロック装置９の内部の構成を示す図
【図５】下ケース５５の内部の構成を示す図
【図６】図４における下ケース５５の歯車６５付近の拡大図
【図７】図４における歯車６５付近の側面図
【図８】ワイヤロック装置９により施錠されているときの、中ケース５３の平面図
【図９】ワイヤロック装置９により施錠されているときの、下ケース５５の平面図
【図１０】ワイヤロック装置９による施錠が解除されたときの、中ケース５３の平面図
【図１１】ワイヤロック装置９による施錠が解除されたときの、下ケース５５の平面図
【図１２】他の実施の形態に係るパチンコ遊技機１ａの構成概略図
【図１３】他の実施の形態に係るスロットマシン機９１の構成概略図
【図１４】他の実施の形態に係るパチンコ遊技機１ｂの構成概略図
【符号の説明】
１・・・・パチンコ遊技機
３・・・・扉
５・・・・パチンコ台
７・・・・表示器
９・・・・ワイヤロック装置
１１・・・ワイヤ
１３・・・取付金具
【図１】
2004275256.tif 000003
【図２】
2004275256.tif 000004
【図３】
2004275256.tif 000005
【図４】
2004275256.tif 000006
【図５】
2004275256.tif 000007
【図６】
2004275256.tif 000008
【図７】
2004275256.tif 000009
【図８】
2004275256.tif 000010
【図９】
2004275256.tif 000011
【図１０】
2004275256.tif 000012
【図１１】
2004275256.tif 000013
【図１２】
2004275256.tif 000014
【図１３】
2004275256.tif 000015
【図１４】
2004275256.tif 000016